(57)【要約】【課題】適正な転写電圧を決定することができ、像担持体に転写ショックが発生するのを防止することができるようにする。【解決手段】像担持体と、転写手段と、検出用電流を転写手段に供給する電流供給部４２と、転写手段に生じる発生電圧を検出する電圧検出部４３と、発生電圧と、検出用電流に対応させて選択された切替電圧とを比較する比較部４４と、発生電圧に基づいて転写電圧を決定する転写電圧決定部４５とを有する。そして、電流供給部４２は、比較部４４による比較結果に基づいて検出用電流を切り替える。この場合、発生電圧と切替電圧とが比較され、比較結果に基づいて検出用電流が切り替えられるので、転写手段の抵抗が変化しても、抵抗に応じた適正な転写電圧を決定することができる。【選択図】図１
2006243445.tif 000002
【特許請求の範囲】
【請求項１】
（ａ）像担持体と、
（ｂ）該像担持体上に形成された現像剤像を媒体に転写する転写手段と、
（ｃ）検出用電流を転写手段に供給する電流供給部と、
（ｄ）前記検出用電流が供給されたときに前記転写手段に生じる発生電圧を検出する電圧検出部と、
（ｅ）前記発生電圧と、前記検出用電流に対応させて選択された切替電圧とを比較する比較部と、
（ｆ）前記発生電圧に基づいて転写電圧を決定する転写電圧決定部とを有するとともに、
（ｇ）前記電流供給部は、前記比較部による比較結果に基づいて検出用電流を切り替えることを特徴とする画像形成装置。
【請求項２】
（ａ）使用された検出用電流を記憶するための記憶部を有するとともに、
（ｂ）前記電流供給部は、初期状態において、前回使用された検出用電流を読み出して転写手段に供給する請求項１に記載の画像形成装置。
【請求項３】
前記電流供給部は、画像形成装置の使用環境を判定し、判定結果に基づいて初期状態における検出用電流を決定する請求項１に記載の画像形成装置。
【請求項４】
前記転写電圧決定部は、像担持体と転写手段との間に媒体が到達する前に転写電圧を決定する請求項１〜３のいずれか１項に記載の画像形成装置。
【請求項５】
（ａ）像担持体と、
（ｂ）該像担持体上に形成されたトナー像を媒体に転写する転写手段と、
（ｃ）第１、第２の検出用電流のうちのいずれか一方を前記転写手段に供給する電流供給部と、
（ｄ）前記供給された第１、第２の検出用電流によって前記転写手段に生じる発生電圧を検出する電圧検出部と、
（ｅ）前記検出された発生電圧と所定の電圧とを比較する比較部と、
（ｆ）前記第１、第２の検出用電流のうちのいずれか一方を選択する選択手段と、
（ｇ）該選択手段によって選択された検出用電流に対応する発生電圧と所定の電圧とを比較し、比較結果に基づいて、選択された検出用電流と異なる検出用電流を転写手段に供給し、供給された検出用電流によって前記転写手段に生じる発生電圧を検出し、該発生電圧に基づいて転写電圧を決定する制御部とを有することを特徴とする画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の電子写真方式の画像形成装置においては、像担持体としての感光体ドラムの表面を一様に、かつ、均一に帯電させた後、露光によって静電潜像を形成し、該静電潜像を現像してトナー像を形成し、該トナー像を転写手段としての転写ローラによって媒体としての用紙に転写するようにしている。
【０００３】
この場合、温度及び湿度による使用環境の変化、経時による転写ローラの変化等によって該転写ローラの抵抗が変化するので、良好な転写電圧は、常に一定ではない。
【０００４】
そこで、前記抵抗を検出するために、転写ローラに一定の検出用電流を流し、転写ローラに発生する電圧値に基づいて、前記転写ローラに印加される転写電圧を決定する方法が提供されている（例えば、特許文献１参照。）。
【特許文献１】特開平１１−１６１０５７号公報
【発明の開示】
【発明が解決しようとする課題】
【０００５】
しかしながら、前記従来の画像形成装置においては、前記検出用電流を流した場合、転写ローラの抵抗が小さくなる高温高湿の使用環境において、転写ローラに発生する電圧値が小さくなるので、抵抗の検出精度が低くなり、抵抗に応じた適正な転写電圧を決定することができなくなってしまう。
【０００６】
そこで、検出用電流の値を大きくすることが考えられるが、転写ローラの抵抗が大きくなる低温低湿の使用環境において、転写ローラに発生する電圧値が大きくなり、感光体ドラムに転写ショックが発生してしまう。
【０００７】
本発明は、前記従来の画像形成装置の問題点を解決して、適正な転写電圧を決定することができ、像担持体に転写ショックが発生するのを防止することができる画像形成装置を提供することを目的とする。
【課題を解決するための手段】
【０００８】
そのために、本発明の画像形成装置においては、像担持体と、該像担持体上に形成された現像剤像を媒体に転写する転写手段と、検出用電流を転写手段に供給する電流供給部と、前記検出用電流が供給されたときに前記転写手段に生じる発生電圧を検出する電圧検出部と、前記発生電圧と、前記検出用電流に対応させて選択された切替電圧とを比較する比較部と、前記発生電圧に基づいて転写電圧を決定する転写電圧決定部とを有する。
【０００９】
そして、前記電流供給部は、前記比較部による比較結果に基づいて検出用電流を切り替える。
【発明の効果】
【００１０】
本発明によれば、画像形成装置においては、像担持体と、該像担持体上に形成された現像剤像を媒体に転写する転写手段と、検出用電流を転写手段に供給する電流供給部と、前記検出用電流が供給されたときに前記転写手段に生じる発生電圧を検出する電圧検出部と、前記発生電圧と、前記検出用電流に対応させて選択された切替電圧とを比較する比較部と、前記発生電圧に基づいて転写電圧を決定する転写電圧決定部とを有する。
【００１１】
そして、前記電流供給部は、前記比較部による比較結果に基づいて検出用電流を切り替える。
【００１２】
この場合、転写手段に検出用電流が供給されたときの発生電圧と、検出用電流に対応させて選択された切替電圧とが比較され、比較結果に基づいて検出用電流が切り替えられるので、使用環境の変化、経時による転写手段の変化等によって転写手段の抵抗が変化しても、抵抗に応じた適正な転写電圧を決定することができる。また、像担持体に転写ショックが発生するのを防止することができる。
【発明を実施するための最良の形態】
【００１３】
以下、本発明の実施の形態について図面を参照しながら詳細に説明する。この場合、画像形成装置としての単色のプリンタについて説明する。
【００１４】
図２は本発明の第１の実施の形態におけるプリンタの概略図、図３は本発明の第１の実施の形態における電子写真プロセス部の概念図である。
【００１５】
図に示されるように、プリンタは、媒体としての用紙を搬送するための用紙搬送部、電子写真方式によって画像を形成する電子写真プロセス部、プリンタの全体の制御を行う印刷制御部等を備え、前記用紙搬送部は、ホッピングローラ１１、レジストローラ１２、排出ローラ１３、１４等を、前記電子写真プロセス部は、画像形成部として機能するイメージドラムカートリッジ１５、露光装置としてのＬＥＤアレイヘッド１６、転写手段としての転写ローラ１７、定着装置５１等を、印刷制御部は、図示されない電源、電源・制御基板１８、高圧電源基板１９等を備える。
【００１６】
また、前記イメージドラムカートリッジ１５は、像担持体としての感光体ドラム２０、帯電装置としての帯電ローラ３１、現像部、現像剤カートリッジとしてのトナーカートリッジ２１及びクリーニング部としてのクリーニングローラ３２等を備える。また、前記定着装置５１は、加熱部材としてのヒートローラ２２及び加圧部材としてのバックアップローラ２３を備える。そして、前記現像部は、現像剤としてのトナーを保持する現像剤担持体としての現像ローラ３３、該現像ローラ３３にトナーを供給する現像剤供給部材としてのトナー供給ローラ３４、現像ローラ３３の表面にトナーの薄層を形成する現像ブレード３５等を備える。
【００１７】
なお、２４は操作パネル、２５は画像が形成された用紙をフェースダウンで堆積させるスタッカカバー、２６はアッパカバー、２７は媒体収容部としての用紙カセット、２８はベースプレート、２９は手差しトレイ、３０は画像が形成された用紙をフェースアップで堆積させるスタッカである。
【００１８】
前記構成の電子写真プロセス部においては、以下の６段階によって画像が形成される。
【００１９】
第１の段階において、感光体ドラム２０の表面が、帯電ローラ３１によって一様に、かつ、均一に帯電させられる。第２の段階において、ＬＥＤアレイヘッド１６によって感光体ドラム２０の表面が露光され、潜像としての静電潜像が形成される。第３の段階において、現像ローラ３３によって保持されたトナーが感光体ドラム２０に付着させられ、静電潜像が現像されて現像剤像としてのトナー像が形成される。第４の段階において、転写ローラ１７によって前記トナー像が用紙に転写される。第５の段階において、用紙上のトナー像が定着装置５１によって定着させられる。第６の段階において、転写後に感光体ドラム２０上に残留したトナーがクリーニングローラ３２によって除去される。
【００２０】
図１は本発明の第１の実施の形態におけるプリンタのブロック図である。
【００２１】
図に示されるように、プリンタは、感光体ドラム２０、転写ローラ１７、制御部４０及び記憶部４１を備え、前記制御部４０は、プリンタの各部の制御を行うとともに、感光体ドラム２０上に形成されたトナー像を用紙に転写するために転写ローラ１７の制御を行う。そのために、制御部４０は、電流供給部（電流供給処理手段）４２、電圧検出部（電圧検出処理手段）４３、比較部（比較処理手段）４４、転写電圧決定部（転写電圧決定処理手段）４５及び電圧供給部（電圧供給処理手段）４６を備える。また、前記記憶部４１は、制御部４０が転写ローラ１７の制御を行うのに必要な情報が記憶されたメモリによって構成され、転写ローラ１７の抵抗を検出するために使用される検出用電流を切り替える基準となる切替電圧（電圧値）が記憶された切替電圧情報領域４１ａ、転写電圧を決定する基準となる転写テーブル４１ｂ、及び前回使用された検出用電流（電流値）が記憶された検出用電流情報領域４１ｃを備える。
【００２２】
前記電流供給部４２は、転写ローラ１７の抵抗を検出するために転写ローラ１７に検出用電流を供給する定電流電源を構成し、電圧検出部４３は検出用電流が供給されることによって転写ローラ１７に発生する電圧を検出する電圧計を構成する。
【００２３】
また、前記比較部４４は、電圧検出部４３で検出された電圧、すなわち、発生電圧と、所定の電圧、本実施の形態においては、切替電圧情報領域４１ａに記憶された切替電圧とを比較し、検出用電流を切り替えるかどうかを判断する。さらに、前記転写電圧決定部４５は、転写テーブル４１ｂを参照し、発生電圧に対応する転写電圧を読み出し、決定する。そして、前記電圧供給部４６は、転写電圧決定部４５によって決定された転写電圧を転写ローラ１７に印加する定電圧電源を構成する。
【００２４】
次に、前記構成のプリンタの動作について説明する。
【００２５】
図４は本発明の第１の実施の形態におけるプリンタの動作を示す第１のフローチャート、図５は本発明の第１の実施の形態におけるプリンタの動作を示す第２のフローチャート、図６は本発明の第１の実施の形態における発生電圧の検出方法を示す図、図７は本発明の第１の実施の形態における検出用電流の切替えを示す概念図、図８は本発明の第１の実施の形態における第１の検出用電流の特性を表す図、図９は本発明の第１の実施の形態における第２の検出用電流の特性を表す図である。なお、図８において、横軸に発生電圧ＶG8を、縦軸に転写電圧ＶTRを、図９において、横軸に発生電圧ＶG11 を、縦軸に転写電圧ＶTRを採ってある。
【００２６】
図６において、１７は転写ローラ、２０は感光体ドラム、４２は電流供給部、４３は電圧検出部、４６は電圧供給部、ＳＷはスイッチである。
【００２７】
まず、前記制御部４０は、図示されない上位装置から印刷信号を受信し、プリンタは、前記電源が投入された直後であるかどうかを判断する。なお、電源が投入された直後であるかどうかは、例えば、パワーオンでリセットするレジスタを設け、前記判断の後に、レジスタに所定の値を書き込んでおくことによって判断することができる。そして、電源が投入された直後でない場合、検出用電流情報領域４１ｃから前回使用された検出用電流が、第１の検出用電流（８〔μＡ〕）であるか、又は第２の検出用電流（１１〔μＡ〕）であるかを判断する。この場合、前記検出用電流情報領域４１ｃにおいて、検出用電流は、切り替わるたびに書き換えられるようにされ、また、不揮発性メモリ等によって電流がオフにされても消えないようにされる。
【００２８】
また、電源が投入された直後である場合、又は前回使用された検出用電流が第１の検出用電流である場合、電流供給部４２は、第１の検出用電流を転写ローラ１７に供給し、電圧検出部４３によって転写ローラ１７に発生する発生電圧ＶG8を検出する。そして、比較部４４は、発生電圧ＶG8と、切替転写情報領域４１ａから読み出された第１の切替電圧ＶTH8 （４００〔Ｖ〕）とを比較する。前記比較部４４は、切替転写情報領域４１ａを参照し、切替電圧を検出用電流に対応させて選択し、この場合、第１の検出用電流に対応させて前記第１の切替電圧ＶTH8 を選択する。
【００２９】
ここで、該第１の切替電圧ＶTH8 について説明する。
【００３０】
前記転写ローラ１７の抵抗が小さくなる高温高湿の使用環境において前記抵抗を検出する場合、第１の検出用電流を供給することによって転写ローラ１７に発生する発生電圧ＶG8の値が小さすぎると、抵抗の検出精度が低下してしまう。
【００３１】
なお、使用環境には、高温高湿、常温常湿、及び低温低湿の使用環境がある。
【００３２】
そこで、発生電圧ＶG8が閾値より低い場合は、第１の検出用電流より大きい第２の検出用電流に切り替え、該第２の検出用電流を供給することによって転写ローラ１７の抵抗を検出する。
【００３３】
この第１の検出用電流から第２の検出用電流への検出用電流の切替えを行う際の前記閾値が第１の切替電圧ＶTH8 である。
【００３４】
すなわち、図７に示されるように、発生電圧ＶG8が第１の切替電圧ＶTH8 以上である場合は検出用電流の切替えは行わず、発生電圧ＶG8が第１の切替電圧ＶTH8 より低い場合は第２の検出用電流に切り替え、電流供給部４２は第２の検出用電流を転写ローラ１７に供給する。
【００３５】
一方、電源が投入された直後でない場合であり、前回使用された検出用電流が第２の検出用電流である場合、前記電流供給部４２は、第２の検出用電流を転写ローラ１７に供給し、電圧検出部４３は、転写ローラ１７に発生する発生電圧ＶG11 を検出する。そして、比較部４４は、発生電圧ＶG11 と、切替転写情報領域４１ａから読み出された第２の電圧ＶTH11（６００〔Ｖ〕）とを比較する。この場合、比較部４４は、第２の検出用電流に対応させて前記第２の切替電圧ＶTH11を選択する。
【００３６】
ここで、該第２の電圧ＶTH11について説明する。
【００３７】
前記転写ローラ１７の抵抗が大きくなる低温低湿の使用環境において前記抵抗を検出する場合、第２の検出用電流を供給することによって転写ローラ１７に発生する発生電圧ＶG11 の値が大きすぎると、感光体ドラム２０に転写ショックを与えてしまう恐れがある。
【００３８】
そこで、発生電圧ＶG11 が閾値より大きい場合は、第１の検出用電流に切り替え、第１の検出用電流を供給することによって転写ローラ１７の抵抗を検出する。
【００３９】
この第２の検出用電流から第１の検出用電流への検出用電流の切替えを行う際の前記閾値が第２の切替電圧ＶTH11である。
【００４０】
すなわち、図７に示されるように、発生電圧ＶG11 が第２の切替電圧ＶTH11以下である場合は検出用電流の切替えは行わず、発生電圧ＶG11 が第２の切替電圧ＶTH11より高い場合は第１の検出用電流に切り替え、電流供給部４２は第１の検出用電流を転写ローラ１７に供給する。
【００４１】
なお、初期状態で、第１の検出用電流によって第１の切替電圧ＶTH8 が発生する転写ローラ１７の抵抗をＲ１とし、第２の検出用電流によって第２の切替電圧ＶTH11が発生する転写ローラ１７の抵抗をＲ２とすると、該抵抗Ｒ２が抵抗Ｒ１より５〔ＭΩ〕大きくなるように、第１、第２の切替電圧ＶTH8 、ＶTH11があらかじめ設定されている。
【００４２】
また、前記抵抗Ｒ１、Ｒ２を同値又は近傍値になると、転写ローラ１７の抵抗がわずかに変動しても検出用電流の切替えが必要になり、効率が悪くなる。
【００４３】
続いて、電圧検出部４３は、転写ローラ１７に発生する発生電圧ＶG8、ＶG11 を検出し、転写電圧決定部４５は、転写テーブル４１ｂのうちの図８に示される発生電圧ＶG8に対応した特性を表す転写テーブル、図９に示される発生電圧ＶG11 に対応した特性を表す転写テーブルを呼び出す。
【００４４】
このようにして、第１、第２の検出用電流８〔μＡ〕、１１〔μＡ〕に対応した特性を表す転写テーブルが呼び出されると、前記転写電圧決定部４５は、呼び出された転写テーブルを参照し、発生電圧ＶG8、ＶG11 に対応する転写電圧ＶTRを読み出して決定する。そして、電圧供給部４６は、決定された転写電圧ＶTRを転写ローラ１７に印加し、定電圧制御を行う。続いて、制御部４０は印刷を開始する。なお、連続印刷である場合は、引き続き前記転写電圧ＶTRで定電圧制御を行う。
【００４５】
その後、使用された検出用電流を検出用電流情報領域４１ｃに記憶し、印刷を終了する。
【００４６】
なお、転写ローラ１７に検出用電流を流して転写電圧ＶTRを決定する処理は、転写ローラ１７と感光体ドラム２０との間に用紙が到達する前に行われる。これにより、印刷速度を高くしても用紙への転写を正常に行うことができる。
【００４７】
このように、本実施の形態においては、転写ローラ１７の抵抗を検出するための検出用電流を切り替えることができるので、使用環境の変化、経時による転写ローラの変化等によって転写ローラの抵抗が変化しても、抵抗に応じた適正な転写電圧を決定することができる。また、感光体ドラム２０に転写ショックが発生するのを防止することができる。
【００４８】
次に、フローチャートについて説明する。
ステップＳ１  印刷信号を受信する。
ステップＳ２  電源が投入された直後であるかどうかを判断する。電源が投入された直後である場合はステップＳ４に、直後でない場合はステップＳ３に進む。
ステップＳ３  前回使用された検出用電流が第１の検出用電流であるかどうかを判断する。前回使用された検出用電流が第１の検出用電流である場合はステップＳ４に、第１の検出用電流でない場合はステップＳ１０に進む。
ステップＳ４  第１の検出用電流を供給する。
ステップＳ５  発生電圧ＶG8を検出する。
ステップＳ６  発生電圧ＶG8が第１の切替電圧ＶTH8 以上であるかどうかを判断する。発生電圧ＶG8が第１の切替電圧ＶTH8 以上である場合はステップＳ７に、発生電圧ＶG8が第１の切替電圧ＶTH8 より小さい場合はステップＳ８に進む。
ステップＳ７  発生電圧がＶG8になる。
ステップＳ８  第２の検出用電流に切り換える。
ステップＳ９  発生電圧がＶG11 になる。
ステップＳ１０  第２の検出用電流を供給する。
ステップＳ１１  発生電圧ＶG11 を検出する。
ステップＳ１２  発生電圧ＶG11 が第２の切替電圧ＶTH11以下であるかどうかを判断する。発生電圧ＶG11 が第２の切替電圧ＶTH11以下である場合はステップＳ１３に、発生電圧ＶG11 が第２の切替電圧ＶTH11より大きい場合はステップＳ１４に進む。
ステップＳ１３  発生電圧がＶG11 になる。
ステップＳ１４  第１の検出用電流に切り換える。
ステップＳ１５  発生電圧がＶG8になる。
ステップＳ１６  発生電圧ＶG8に対応した転写テーブルを呼び出す。
ステップＳ１７  発生電圧ＶG11 に対応した転写テーブルを呼び出す。
ステップＳ１８  転写電圧ＶTRを決定する。
ステップＳ１９  印刷を開始する。
ステップＳ２０  連続印刷であるかどうかを判断する。連続印刷である場合はステップＳ２０に戻り、連続印刷でない場合はステップＳ２１に進む。
ステップＳ２１  検出用電流を記憶する。
ステップＳ２２  印刷を終了し、処理を終了する。
【００４９】
ところで、前記第１の実施の形態においては、前記抵抗を検出するために発生電圧の検出を２回行う必要があり、作業が複雑になってしまう。
【００５０】
そこで、転写ローラ１７の抵抗を検出するための作業を簡素化することができるようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５１】
図１０は本発明の第２の実施の形態におけるプリンタのブロック図である。
【００５２】
図において、５０はプリンタの使用環境を推測するための環境検出部としての温湿度センサであり、該温湿度センサ５０は、プリンタが設置された箇所の温度及び湿度を検出する。
【００５３】
次に、前記構成のプリンタの動作について説明する。
【００５４】
図１１は本発明の第２の実施の形態におけるプリンタの動作を示す第１のフローチャート、図１２は本発明の第２の実施の形態におけるプリンタの動作を示す第２のフローチャートである。
【００５５】
この場合、制御部４０が印刷信号を受信すると、電流供給部４２の図示されない使用環境判定処理手段は、使用環境判定処理を行い、温湿度センサ５０によって検出された温度及び湿度を読み込み、使用環境を判定し、使用環境が高温高湿であるかどうかを判断する。なお、高温高湿であるかどうかの温度及び湿度の閾値は、あらかじめ、転写手段としての転写ローラ１７の材質等に基づいて実験によって求められ、例えば、温度が４０〔℃〕以上であり、湿度が８０〔％〕以上である場合、高温高湿であると判断される。
【００５６】
続いて、電流供給部４２は、使用環境が高温高湿である場合は、転写ローラ１７は抵抗が小さい状態にあると推定し、検出用電流を大きくして、第２の検出用電流を転写ローラ１７に供給し、使用環境が高温高湿でない場合は、転写ローラ１７は抵抗が大きい状態にあると推定し、検出用電流を小さくして、第１の検出用電流を転写ローラ１７に供給する。
【００５７】
なお、発生電圧に従って検出用電流が切り替えられるようになっているが、これは、経時による転写ローラ１７の変化に対応するためである。したがって、発生電圧に従って検出用電流が切り替えられる頻度は低い。
【００５８】
第１の実施の形態においては、使用された検出用電流を検出用電流情報領域４１ｃに記憶させるようになっているが、本実施の形態においては、検出用電流は温湿度センサ５０の検出結果に基づいて決定されるので、検出用電流情報領域は不要である。
【００５９】
このように、本実施の形態においては、転写ローラ１７の抵抗を検出するための発生電圧の検出を１回で精度良く行うことができ、作業を簡素化することができる。
【００６０】
次に、フローチャートについて説明する。
ステップＳ３１  印刷信号を受信する。
ステップＳ３２  使用環境が高温高湿であるかどうかを判断する。使用環境が高温高湿である場合はステップＳ３９に、高温高湿でない場合はステップＳ３３に進む。
ステップＳ３３  第１の検出用電流を供給する。
ステップＳ３４  発生電圧ＶG8を検出する。
ステップＳ３５  発生電圧ＶG8が第１の切替電圧ＶTH8 以上であるかどうかを判断する。発生電圧ＶG8が第１の切替電圧ＶTH8 以上である場合はステップＳ３６に、発生電圧ＶG8が第１の切替電圧ＶTH8 より小さい場合はステップＳ３７に進む。
ステップＳ３６  発生電圧がＶG8になる。
ステップＳ３７  第２の検出用電流に切り換える。
ステップＳ３８  発生電圧がＶG11 になる。
ステップＳ３９  第２の検出用電流を供給する。
ステップＳ４０  発生電圧ＶG11 を検出する。
ステップＳ４１  発生電圧ＶG11 が第２の切替電圧ＶTH11以下であるかどうかを判断する。発生電圧ＶG11 が第２の切替電圧ＶTH11以下である場合はステップＳ４２に、発生電圧ＶG11 が第２の切替電圧ＶTH11より大きい場合はステップＳ４３に進む。
ステップＳ４２  発生電圧がＶG11 になる。
ステップＳ４３  第１の検出用電流に切り換える。
ステップＳ４４  発生電圧がＶG8になる。
ステップＳ４５  発生電圧ＶG8に対応した転写テーブルを呼び出す。
ステップＳ４６  発生電圧ＶG11 に対応した転写テーブルを呼び出す。
ステップＳ４７  転写電圧ＶTRを決定する。
ステップＳ４８  印刷を開始する。
ステップＳ４９  連続印刷であるかどうかを判断する。連続印刷である場合はステップＳ４１に戻り、連続印刷でない場合はステップＳ５０に進む。
ステップＳ５０  印刷を終了し、処理を終了する。
【００６１】
前記各実施の形態においては、画像形成装置として単色のプリンタを使用する例について説明しているが、多色のプリンタ、例えば、カラープリンタに適用することができる。
【００６２】
なお、本発明は前記実施の形態に限定されるものではなく、本発明の趣旨に基づいて種々変形させることが可能であり、それらを本発明の範囲から排除するものではない。
【図面の簡単な説明】
【００６３】
【図１】本発明の第１の実施の形態におけるプリンタのブロック図である。
【図２】本発明の第１の実施の形態におけるプリンタの概略図である。
【図３】本発明の第１の実施の形態における電子写真プロセス部の概念図である。
【図４】本発明の第１の実施の形態におけるプリンタの動作を示す第１のフローチャートである。
【図５】本発明の第１の実施の形態におけるプリンタの動作を示す第２のフローチャートである。
【図６】本発明の第１の実施の形態における発生電圧の検出方法を示す図である。
【図７】本発明の第１の実施の形態における検出用電流の切替えを示す概念図である。
【図８】本発明の第１の実施の形態における第１の検出用電流の特性を表す図である。
【図９】本発明の第１の実施の形態における第２の検出用電流の特性を表す図である。
【図１０】本発明の第２の実施の形態におけるプリンタのブロック図である。
【図１１】本発明の第２の実施の形態におけるプリンタの動作を示す第１のフローチャートである。
【図１２】本発明の第２の実施の形態におけるプリンタの動作を示す第２のフローチャートである。
【符号の説明】
【００６４】
１７    転写ローラ
２０    感光体ドラム
４２    電流供給部
４３    電圧検出部
４４    比較部
４５    転写電圧決定部
【図１】
2006243445.tif 000003
【図２】
2006243445.tif 000004
【図３】
2006243445.tif 000005
【図４】
2006243445.tif 000006
【図５】
2006243445.tif 000007
【図６】
2006243445.tif 000008
【図７】
2006243445.tif 000009
【図８】
2006243445.tif 000010
【図９】
2006243445.tif 000011
【図１０】
2006243445.tif 000012
【図１１】
2006243445.tif 000013
【図１２】
2006243445.tif 000014